(57)【特許請求の範囲】
【請求項１】
遊技盤と、
前記遊技盤に設けられる複数のセンサと、
遊技を制御するための制御基板と、
前記遊技盤に固定され、前記制御基板を収容する制御基板ケースと、
前記複数のセンサのそれぞれの信号を前記制御基板に送信するための複数の電線と、を備え、
前記複数のセンサのうち特定センサの信号を前記制御基板に送信するための特定の電線は、中間部が前記制御基板ケースに固定され、前記特定センサへの接続部が、前記制御基板ケースが前記遊技盤から取り外されて前記制御基板ケースの位置が所定の位置から変位した場合に、前記特定センサから外れるようにしたことを特徴とする遊技機。
【請求項２】
前記制御基板は、
前記特定の電線が前記特定センサから外れて前記特定センサの信号を受信できない状態にある場合、所定の時期に、報知手段は、前記特定の電線が断線している旨を報知するエラー報知制御を行うことを特徴とする請求項１に記載の遊技機。
【請求項３】
前記所定の時期は、前記遊技機への電源投入時であることを特徴とする請求項２に記載の遊技機。
【請求項４】
前記特定センサを、前記遊技盤に設けた凹部に設置したことを特徴とする請求項１〜３のいずれかに記載の遊技機。
【請求項５】
前記特定センサの信号は、前記遊技盤に固定される中継基板を経由して前記制御基板に送信され、
前記特定の電線は、前記特定センサと前記中継基板とを接続する第１電線と、
前記中継基板と前記制御基板とを接続する第２電線と、を含み、
前記特定の電線の中間部は、前記第１電線の中間部であることを特徴とする請求項１〜４のいずれかに記載の遊技機。
【請求項６】
前記第１電線のうち前記特定センサと前記中間部とを繋ぐ電線の長さは、弛みがない状態で配線される長さであることを特徴とする請求項５に記載の遊技機。
【発明の詳細な説明】
【技術分野】
【０００１】
本発明は、遊技機に関する。
【背景技術】
【０００２】
従来、遊技機においては、遊技全体を統括的に制御するための主制御基板及びその他の各種制御基板を備えている。主制御基板は、遊技盤の裏側にねじ止め固定される基板ケース内に収容される。基板ケースは、ワンウェイねじ等の特殊ねじによって閉鎖されるとともに、ネジ締め箇所の表面やケースの突き合わせ部に跨って外側から開封防止の封印シールを貼り付けることで、不正に開放されて主制御基板が不正改造されることを防止している（例えば、特許文献１参照）。
【先行技術文献】
【特許文献】
【０００３】
【特許文献１】特開２００９−２６１６４０号公報
【発明の概要】
【発明が解決しようとする課題】
【０００４】
しかしながら、特許文献１に記載のような遊技機においては、基板ケースを不正に遊技盤から取り外し、この状態で基板ケースを開放し、基板ケース内に収納された主制御基板に対して不正行為を行った後、基板ケースを開放した痕跡が残らないように閉鎖して、元の状態に戻されてしまうと、その後、目視確認等によっても不正行為を発見することが難しく、遊技場（ホール）に甚大な被害を及ぼすこととなる。
【０００５】
本発明は、かかる課題に鑑みなされたものであって、制御基板に対して不正行為が行われたこと及びその危険性があることを、確実に発見することができるようにした遊技機を提供することを目的とする。
【課題を解決するための手段】
【０００６】
本発明によると、上記課題は、次のようにして解決される。
第１の発明は、遊技盤と、前記遊技盤に設けられる複数のセンサと、遊技を制御するための制御基板と、前記遊技盤に固定され、前記制御基板を収容する制御基板ケースと、前記複数のセンサのそれぞれの信号を前記制御基板に送信するための複数の電線と、を備え、前記複数のセンサのうち特定センサの信号を前記制御基板に送信するための特定の電線は、中間部が前記制御基板ケースに固定され、前記特定センサへの接続部が、前記制御基板ケースが前記遊技盤から取り外されて前記制御基板ケースの位置が所定の位置から変位した場合に、前記特定センサから外れるようにする。
【０００７】
第２の発明は、第１の発明において、前記制御基板は、前記特定の電線が前記特定センサから外れて前記特定センサの信号を受信できない状態にある場合、所定の時期に、報知手段は、前記特定の電線が断線している旨を報知するエラー報知制御を行う。
【０００８】
第３の発明は、第２の発明において、前記所定の時期は、前記遊技機への電源投入時である。
【０００９】
第４の発明は、第１〜３のいずれかの発明において、前記特定センサを、前記遊技盤に設けた凹部に設置する。
【００１０】
第５の発明は、第１〜４のいずれかの発明において、前記特定センサの信号は、前記遊技盤に固定される中継基板を経由して前記制御基板に送信され、前記特定の電線は、前記特定センサと前記中継基板とを接続する第１電線と、前記中継基板と前記制御基板とを接続する第２電線と、を含み、前記特定の電線の中間部は、前記第１電線の中間部である。
【００１１】
第６の発明は、第５の発明において、前記第１電線のうち前記特定センサと前記中間部とを繋ぐ電線の長さは、弛みがない状態で配線される長さである。
【発明の効果】
【００１２】
本発明によると、制御基板ケースが遊技盤から取り外されると、特定の電線が特定センサから外れるため、制御基板に対して不正行為が行われたこと及びその危険性があることを、確実に発見することができる。
【図面の簡単な説明】
【００１３】
【図１】本発明に係る遊技機の前方から見た斜視図である。
【図２】同じく遊技機の背面図である。
【図３】遊技機の各構成要素を説明するための模式図である。
【図４】不正行為が行われたときの各構成要素を説明するための模式図である。
【図５】不正行為の判定処理を説明するためのフローチャート図である。
【発明を実施するための形態】
【００１４】
以下、本発明を実施するための一実施形態を、添付図面を参照しながら詳述する。
なお、以下の実施形態は本出願の特許請求の範囲に係る発明を限定するものではなく、実施形態の中で説明される特徴の組み合わせの全てが発明の解決手段に必須であるとは限らない。
【００１５】
また、本実施形態の遊技機１は、弾球遊技機（パチンコ機）とするが、本発明は、弾球遊技機に限らず、回動式遊技機（スロットマシン）等にも適用可能である。
なお、以下の説明において、遊技機１の各部の左右方向は、その遊技機１の正面に対面する者にとっての左右方向に合わせて説明する。
【００１６】
（遊技機１の基本構造）
図１に示すように、遊技機１は、遊技場（ホール）の島設備に設置される矩形枠状の外枠２と、外枠２の左枠部に蝶番（図示略）により垂直軸回りに開閉自在に取り付けられる内枠３と、内枠３に装着され、各種遊技要素が組み付けられる遊技盤４（図３、４参照）と、遊技盤４の前側にあって、内枠３の左枠部に上下の蝶番（図示略）により垂直軸回りに開閉自在に取り付けられ、遊技盤４の前面を閉鎖し、遊技者が透視し得る透明な板であるガラス板（合成樹脂板）５ａを嵌め込んだガラス枠５と、ガラス枠５の下部に設けられ、後述の払出装置３１０から払い出される遊技球を貯留するための受皿６と、ガラス枠５の下部裏側に設けられ、受皿６に貯留されている遊技球を導入して遊技盤４の前面に形成される遊技領域（図示略）へ向けて発射するための発射装置（図示略）と、ガラス枠５の前面右下部に設けられ受皿６に貯留された遊技球を遊技領域へ打ち出す際に操作される発射ハンドル７と、ガラス枠５の上部に設けられ遊技状況に応じた効果音を出力するスピーカ８と、ガラス枠５に設けられ遊技状況に応じて点灯、消灯及び点滅する照明演出を行う電飾装置９と、遊技盤４に設置される表示装置１０（図３、４参照）とを備える。なお、スピーカ８、電飾装置９及び表示装置１０は、本発明の報知手段にそれぞれ相当する。
【００１７】
遊技盤４の前面には、発射装置から発射された遊技球が流下する略円形の遊技領域（図示略）が形成される。遊技領域には、遊技領域に打ち込まれた遊技球の流下方向を変化させる多数の釘（図示略）、遊技領域を流下する遊技球が入賞可能な始動口（図示略）、遊技球が通過可能なスルーチャッカ（図示略）、及び遊技状態が大当たりになった場合に遊技球が大量に入賞可能な大入賞装置（図示略）等の各種遊技要素が配置される。さらに、遊技盤４には、スルーチャッカを通過した遊技球を検出するセンサ（図示略）、始動口に入賞した遊技球を検出するセンサ（図示略）、大入賞装置に入賞した遊技球を検出するセンサ（図示略）、遊技機１に作用する振動を検出する振動センサ（図示略）、及び遊技盤４に不正磁石が接近したときの磁界を検出する磁気センサ（図示略）等の各種センサが配置される。
【００１８】
表示装置１０は、例えば液晶ディスプレイから構成され、ガラス板５ａを透して遊技者が視認可能な表示画面（図示略）に遊技に係わる情報である各種キャラクタや左列、中列、右列の３列の数字等で構成される演出図柄（図示略）を変動、停止表示すると共に、そのときの遊技状態に応じた動画を表示することによって遊技の盛り上げ演出を行う。なお、演出図柄は、前述の始動口に設けられたセンサが始動口に入賞した遊技球の検出を契機に変動表示を開始し、変動表示してから所定時間経過後に停止表示する。
【００１９】
図２に示すように、遊技機１の背面側には、所定の位置、具体的には遊技機１の背面側のほぼ中央位置に、当該背面側にねじ止め固定される制御基板ケース１０１内に収容され、遊技全体を統括的に制御するための各種処理を実行し、その処理結果に基づいて、遊技を制御する各種の制御コマンド（制御に係るコマンド情報を有する制御信号）を演算処理して送信する主制御基板１００と、主制御基板１００の上方に配置され、主制御基板１００からの制御信号を受信したことに基づいて演出装置（報知手段）であるスピーカ８、電飾装置９、表示装置１０等へ制御信号を送信して演出、報知に係る制御を実行する副制御基板２００と、遊技盤４の後側に設けられ賞球や貸球等の遊技球を受皿６へ払出すための払出装置３１０と、主制御基板１００の下方に配置され、主制御基板１００からの制御コマンドを受信することによって、払出装置３１０の作動制御及び発射ハンドル７の回転操作量に応じた強さで遊技球を遊技領域へ発射させるための発射装置（図示略）の作動制御をそれぞれ行う払出発射制御基板３００と、主制御基板１００を介して各種電気要素に電力を供給するための電源装置４００とが設けられる。
なお、副制御基板２００及び払出発射制御基板３００も、主制御基板１００と同様に各々の制御基板ケース内に収容される。
また、本実施例に代えて、主制御基板１００と副制御基板２００とを分けずにひとつの制御基板として設けるようにしてもよい。
【００２０】
さらに、図３、４に遊技機１を模式的に示すように、遊技盤４の背面側の主制御基板１００に近接した位置には中継基板５００が固定される。そして、後述の特定センサ２１を含む各種センサから出力される検出信号は、中継基板５００を経由して主制御基板１００に送信される。
【００２１】
主制御基板１００、副制御基板２００、及び払出発射制御基板３００は、いずれもＣＰＵと、コンピュータプログラム及び遊技処理に必要なデータを格納したＲＯＭと、ＣＰＵがＲＯＭに格納されたコンピュータプログラムに従って処理を行うための一時記憶領域であるＲＡＭとを備えるマイクロコンピュータにより構成される。
【００２２】
主制御基板１００は、外部から不正に操作されないように、アクリル樹脂等の透明合成樹脂材により形成され、遊技盤４の裏側にねじ止めにより固定される前述の制御基板ケース１０１内に収容固定される。
【００２３】
制御基板ケース１０１は、不正に開放できないように、ワンウェイねじ等の特殊ねじによって閉鎖されるとともに、開放箇所には封印シールが貼り付けられている。
【００２４】
また、図示を省略しているが、遊技機１、つまり遊技盤４の背面側には、特定センサ２１を含む各種センサ、各制御基板１００、２００、３００、スピーカ８、電飾装置９、表示装置１０、電源装置４００及びその他の各種電気要素に接続された多数のケーブルハーネス（電線を含む）や各ケーブルハーネスに接続されたコネクタ等が多数混在して収容されている。
【００２５】
（特徴部分）
図３、４に示すように、特定センサ２１は、無接点式の磁気検知センサを使用して、制御基板ケース１０１が不正に遊技盤４から取り外されて、制御基板ケース１０１の位置が所定の位置から変位した場合、後述のように特定センサ２１からの信号を送信するための第１電線３１の少なくとも一端が特定センサ２１から容易に外れるように接続され、さらに、主制御基板１００、副制御基板２００及び中継基板５００よりも前側（図３、４では右方）に位置するように、遊技盤４に固定される。
好ましくは、特定センサ２１を遊技盤４の背面に設けた凹部４ａ内に配置し、主制御基板１００を特定センサ２１の真後ろに配置する。
【００２６】
特定センサ２１から出力される信号は、第１電線３１（特定センサ２１と中継基板５００とを接続する電線）、中継基板５００及び第２電線３２（中継基板５００と主制御基板１００とを接続する電線）を経由して主制御基板１００に送信される。なお、第１電線３１及び第２電線３２は、本発明の特定の電線に相当する。
【００２７】
第１電線３１は、その中間部が制御基板ケース１０１の背面側に設けられた固定部１０１ａに電線の長さ方向へ移動しないように固定されると共に、一端は、第１コネクタ４１をもって、特定センサ２１に簡単に外れるように接続され、他端は、第２コネクタ４２をもって、中継基板５００の入力ポートに嵌め殺し状態（一度外したら再び接続不能な状態）で接続される。なお、第１コネクタ４１は、本発明の特定の電線の特定センサ２１への接続部に相当する。
【００２８】
第１電線３１における特定センサ２１と固定部１０１ａとの間の部分ａは、制御基板ケース１０１が遊技盤４から取り外され、制御基板ケース１０１の位置が少しでも変位した場合に、第１コネクタ４１が特定センサ２１から外れるように、弛みがない状態で配線され、また、同じく固定部１０１ａと中継基板５００との間の部分ｂは、制御基板ケース１０１の位置が所定量変位しても、第２コネクタ４２に負荷が掛からないように、弛みがある状態で配線される。
【００２９】
第２電線３２は、一端が中継基板５００の出力ポートに接続され、他端が主制御基板１００の入力ポートに接続されることにより、特定センサ２１から出力される信号を第１電線３１及び中継基板５００を介して主制御基板１００に送信する。また、第２電線３２は、制御基板ケース１０１が遊技盤４から取り外されて、制御基板ケース１０１の位置が所定の位置から所定量変位しても、中継基板５００及び主制御基板１００にそれぞれ接続される部分に引張力が掛からないような長さに設定される。
なお、図３、４に太線で示す線は、各種電気要素を電気的に接続するための電線を示している。
【００３０】
主制御基板１００は、特定センサ２１から出力される信号の有無に基づいて、後述のように、特定センサ２１及びその他のセンサ等の断線や短絡の有無のセンサチェック処理を行う。
【００３１】
上述のようにすることにより、例えば、工場出荷から遊技場に納品されるまでの期間、または、何らかの不正手段を用いての遊技場で不正行為によって、図４に示すように、制御基板ケース１０１が不正に遊技盤４から取り外されて、制御基板ケース１０１の位置が所定の位置から後方（図４では左方）へ変位すると、制御基板ケース１０１と共に第１電線３１が後方へ引っ張られるため、第１電線３１に接続された第１コネクタ４１が特定センサ２１から外れる。
また、この場合、遊技盤４の裏側には、第１電線３１が複数のケーブルハーネス及びコネクタ等と共に混在していることに加えて、特定センサ２１が奥まったところの遊技盤４の凹部４ａ内に配置されているため、不正行為者からは、第１コネクタ４１が特定センサ２１から外れたことに気付かれ難い。仮に、不正行為者が、第１コネクタ４１が特定センサ２１から外れたことに気付いても、特定センサ２１が奥まったところにあるため、目視で容易に認識できず、また、第１コネクタ４１を特定センサ２１に対して簡単には接続できない。さらには、第１電線３１に接続された第２コネクタ４２が中継基板５００から外れた場合には、第２コネクタ４２が中継基板５００に再び接続することができないため、不正行為が行われた痕跡が残り、これに基づいて、不正行為の有無を電源の非投入状態であっても目視で容易に発見することができる。
【００３２】
次に、図５を参照して、不正行為判定処理について説明する。
先ず、図示しない電源スイッチによって電源装置４００を起動状態（ステップＳ１）とすると主制御基板１００が起動状態（ステップＳ２）となる。
【００３３】
ステップＳ２では、主制御基板１００のＲＡＭの初期化処理を実行し、初期制御処理を行うためのデータをＲＡＭの所定の領域にセットする。
【００３４】
次に、ステップＳ３にて、特定センサ２１及びその他のセンサが出力している信号を、入力ポートを介して主制御基板１００のレジスタに読み込み格納する入力ポート処理を実行すると共に、入力ポート処理で読み込み格納したデータを把握するためのセンサチェック処理（ステップＳ４）を実行する。
【００３５】
ステップＳ４にて、特定センサ２１及びその他のセンサ等の断線や短絡の有無のチェックを行い、次に、主制御基板１００が断線や短絡が有りと判定した場合（ステップＳ５）には、主制御基板１００は、断線短絡有りのエラー信号を副制御基板２００に送信するエラー報知制御処理を実行する（Ｓ６）。なお、センサチェック処理において、断線や短絡がない場合には、センサチェック処理後、引き続いて、詳細説明は省略するが、他の電気要素のチェック処理を継続する。
【００３６】
次いで、エラー信号を受信した副制御基板２００は、スピーカ８、電飾装置９及び表示装置１０にエラー報知信号を送信し、エラー報知信号を受信したスピーカ８、電飾装置９及び表示装置１０は、エラーメッセージを報知する（Ｓ７）。
なお、この場合、特定センサ２１の配線回路中（第１電線３１）に断線、短絡有り場合には、スピーカ８、電飾装置９及び表示装置１０が、他のセンサの断線、短絡有りの場合とは異なる報知態様で報知するようにすると、遊技場の係員は、制御基板ケース１０１が遊技盤４から外されて、主制御基板１００が不正改造された危険性を容易に確認することができる。
【００３７】
なお、前述の特定センサ２１の配線回路中に断線した状態とは、不正行為者によって制御基板ケース１０１が遊技盤４から一旦取り外された痕跡で、第１電線３１の第１コネクタ４１が特定センサ２１から外れた状態であり、また、同じく短絡した状態とは、第１コネクタ４１が特定センサ２１から外れた状態を復元するために、不正行為者によって第１電線３１を短絡させた状態の痕跡である。
【００３８】
また、図示は省略するが、遊技機１への電源投入（所定の時期）後に、特定センサ２１の配線回路中に断線や短絡が発生した場合には、主制御基板１００は、即座にエラー信号を副制御基板２００に送信し、また、遊技中であれば、直ちに遊技を停止させる制御を実行する。
【００３９】
以上により、特定センサ２１の信号を送信するための第１電線３１の中間部を制御基板ケース１０１に固定すると共に、制御基板ケース１０１が遊技盤４から取り外されて、制御基板ケース１０１の位置が所定の位置から変位した場合に、第１電線３１の第１コネクタ４１が特定センサ２１から容易に外れるようにすることによって、不正行為によって制御基板ケース１０１を遊技盤４から外した状態で、主制御基板１００に不正改造を施した後、主制御基板１００及び制御基板ケース１０１が元の状態に戻された状態にあっても、第１電線３１の第１コネクタ４１は特定センサ２１から外れているため、不正行為が行われた危険性があることを確実に発見することができる。また、第１電線３１が他のケーブルハーネスと共に遊技盤４の裏側に混在していること、及び特定センサ２１が遊技盤４の凹部４ａ内の奥まったところに配置されているため、不正行為中に、第１電線３１の第１コネクタ４１が特定センサ２１から外れたことを簡単に気付かれることはない。
【００４０】
以上、本発明の実施形態について説明したが、本発明の趣旨を逸脱しない範囲内で、本実施形態に対して、次のような変形や変更を施すことが可能である。
（１）第１電線３１の第１コネクタ４１を、特定センサ２１に嵌合接続するものに代えて、第１電線３１を特定センサ２１に対して容易に外れるように直接接続する。
（２）特定センサ２１を、磁気検知センサに代えて、他の近接センサとする。
（３）第２電線３２を省略して、第１電線３１をもって、特定センサ２１と主制御基板１００とを直接接続する。
（４）本発明は、主制御基板１００を収容した制御基板ケース１０１だけでなく、副制御基板２００等他の制御基板に対して用いてもよい。
【符号の説明】
【００４１】
１  遊技機
２  外枠
３  内枠
４  遊技盤
４ａ  凹部
５  ガラス枠
５ａ  ガラス板
６  受皿
７  発射ハンドル
８  スピーカ（報知手段）
９  電飾装置（報知手段）
１０  表示装置（報知手段）
２１  特定センサ
３１  第１電線（特定の電線）
３２  第２電線（特定の電線）
４１  第１コネクタ（接続部）
４２  第２コネクタ
１００  主制御基板（制御基板）
１０１  制御基板ケース
１０１ａ  固定部
２００  副制御基板
３００  払出発射制御基板
３１０  払出装置
４００  電源装置
５００  中継基板
【図１】
0006360431.tif 000002
【図２】
0006360431.tif 000003
【図３】
0006360431.tif 000004
【図４】
0006360431.tif 000005
【図５】
0006360431.tif 000006